(57)【要約】【課題】香り発生器の設置自由度が高く、酸素富化運転と香り発生を連動させた空気調和機を提供する。【解決手段】酸素富化空気を供給する酸素供給手段（図示せず）と、酸素富化空気を吹き出す酸素吹出口（図示せず）と、酸素供給手段と酸素吹出口とを連通する経路中に設けられ香りを発っする香り発生器２とを備え、香り発生器２を非液状態の成分充填部３１と、成分充填部３１を収納する香り容器３３とで構成し、香り容器３３の一部を感湿性膜３２で形成したもので、成分充填部３１が非液状態なので、設置形態の自由度が高められ、かつ酸素運転時に増加する水分が感湿性膜３２に作用して香り成分の発生を増加させることができるので、酸素富化空気運転と香り発生を連動させることができる。【選択図】図２
2005195217.tif 000002
【特許請求の範囲】
【請求項１】
酸素富化膜を用いて酸素富化空気を供給する酸素供給手段と、前記酸素富化空気を吹き出す酸素吹出口と、前記酸素供給手段と前記酸素吹出口とを連通する経路中に設けられ香りを発っする香り発生器とを備え、前記香り発生器を非液状態の成分充填部と、前記成分充填部を収納する香り容器とで構成し、前記香り容器の一部を感湿性膜で形成したことを特徴とする空気調和機。
【請求項２】
香り発生器の下流側に逆止弁を設けた請求項１記載の空気調和機。
【請求項３】
香り発生器の上流側に逆止弁を設けた請求項１又は２記載の空気調和機。
【請求項４】
香り発生器の上流側に３方弁を設けた請求項１〜３のいずれか１項記載の空気調和機。
【請求項５】
感湿性膜を酸素富化空気の流れに対し上側又は、下側を除く側方に配置するようにした請求項１〜４のいずれか１項記載に空気調和機。
【請求項６】
酸素富化膜を用いて酸素富化空気を供給する酸素供給手段と、前記酸素供給手段と連通し前記酸素富化空気を吹き出す酸素吹出口と、前記酸素吹出口又はその近傍に設けられ香りを発する香り発生器とを備え、前記香り発生器を非液状態の成分充填部と、前記成分充填部を収納する香り容器とで構成し、前記香り容器の一部を感湿性膜で形成したことを特徴とする空気調和機。
【発明の詳細な説明】
【技術分野】
【０００１】
本発明は、酸素富化空気を供給する機能を有する空気調和機に関するものである。
【背景技術】
【０００２】
従来の、室内へ酸素を供給する装置と、その酸素に香りを付与する装置を設けた空気調和機としては、例えば図９に示されるようなものがあった。
【０００３】
図９において、１０１は室内ユニット、１０２は室外ユニット、１０６は酸素を分離し室内へ酸素を供給するためのガス分離装置、１０９は酸素を室内へ供給する供給管、１３０は供給管の途中に設けられた付香装置である。この構成において、供給管１０９内を酸素が流過すると、付香装置１３０の中に貯留されている液状の香料が吸い上げられて酸素中に混入し、酸素に伴われて室内へ供給される（例えば、特許文献１参照）。
【特許文献１】実開平４−１２６７２１号公報（第２頁、第１図）
【発明の開示】
【発明が解決しようとする課題】
【０００４】
しかしながら、前記従来の構成では、酸素を室内へ供給する供給管１０９の途中に設けた付香装置１３０内に液状の香料を貯留したものであり、傾けて設置できないなど設置形態に制限があり、また、液状の香料から供給管１０９へ細管（図示せず）が連接されているため、酸素を供給しない時も常時香料が蒸発することになり、酸素運転しない時も香り成分が室内へ拡散してきたり、また香料の使用期間が短くなるといった問題点を有していた。
【０００５】
本発明は、上記従来の課題を解決するもので、香り発生器の設置形態の自由度を高めるとともに、酸素供給運転と連動した香り発生を実現する空気調和機を提供することを目的とする。
【課題を解決するための手段】
【０００６】
上記の課題を解決するため、本発明の空気調和機は、酸素富化膜を用いて酸素富化空気を供給する酸素供給手段と、前記酸素富化空気を吹き出す酸素吹出口と、前記酸素供給手段と前記酸素吹出口とを連通する経路中に設けられ香りを発っする香り発生器とを備え、前記香り発生器を非液状態の成分充填部と、前記成分充填部を収納する香り容器とで構成し、前記香り容器の一部を感湿性膜で形成したもので、成分充填部が非液状態なので、設置形態の自由度が高められ、かつ酸素富化運転時に増加する水分が感湿性膜に作用して香り成分の発生を増加させることができるので、酸素富化運転と香り発生を連動して提供することができる。
【発明の効果】
【０００７】
本発明の空気調和機は、香り発生器の香り成分充填部を非液状態で構成するとともに香り成分充填部を包む容器の一部を感湿性膜で構成することにより、設置形態への自由度を高めるとともに、酸素運転時に増加する水分を利用して、感湿性膜の特性により香り成分の発生を増加させることができ、酸素富化運転と連動した香り発生を提供することができる。
【発明を実施するための最良の形態】
【０００８】
第１の発明は、酸素富化膜を用いて酸素富化空気を供給する酸素供給手段と、前記酸素富化空気を吹き出す酸素吹出口と、前記酸素供給手段と前記酸素吹出口とを連通する経路中に設けられ香りを発っする香り発生器とを備え、前記香り発生器を非液状態の成分充填部と、前記成分充填部を収納する香り容器とで構成し、前記香り容器の一部を感湿性膜で形成したもので、成分充填部が非液状態なので、設置形態の自由度が高められ、かつ酸素運転時に増加する水分が感湿性膜に作用して香り成分の発生を増加させることができるので、酸素供給運転と香り発生を連動して提供することができる。
【０００９】
第２の発明は、特に、第１の発明の香り発生器の下流側に逆止弁を設けたもので、酸素富化運転が行われていないときに、香り成分が酸素供給通路を通って酸素吹出口の方向へ拡散して外部に出ていくのを防止することができ、成分充填部を浪費することがない。
【００１０】
第３の発明は、特に、第１又は第２の発明の香り発生器の上流側に逆止弁を設けたもので、酸素運転が行われていないときに、香り成分が酸素富化空気の通路を通って、酸素供給手段の方向へ拡散して、その酸素供給手段の構成部品に香り成分が付着するのを防止することができる。
【００１１】
第４の発明は、特に、第１〜３のいずれか１つの発明の香り発生器の上流側に３方弁を設けたもので、前記３方弁の出力側の１つを香り発生器に連通させ、同じく出力側の１つを直接室内に連通させておけば、その３方弁の切り替えで、香り付きの酸素富化空気と、香り無しの酸素富化空気を任意に選択できるようになる。
【００１２】
第５の発明は、特に、第１〜４のいずれか１つの発明の感湿性膜を酸素富化空気の流れに対し上側又は、下側を除く側方に配置するようにしたもので、万が一通路内に結露水が発生しても、その結露水が感湿性膜に溜まり感湿性膜が湿ったままになる事がないので、酸素富化運転が停止しても、感湿性膜を通して香り成分が放出し続けるとういうことが無い。
【００１３】
第６の発明は、酸素富化膜を用いて酸素富化空気を供給する酸素供給手段と、前記酸素供給手段と連通し前記酸素富化空気を吹き出す酸素吹出口と、前記酸素吹出口又はその近傍に設けられ香りを発する香り発生器とを備え、前記香り発生器を非液状態の成分充填部と、前記成分充填部を収納する香り容器とで構成し、前記香り容器の一部を感湿性膜で形成したもので、成分充填部が非液状態なので、香り発生器の設置形態の自由度が高められ、かつ酸素富化空気に含まれる水分が感湿性膜に作用して香り成分の発生を増加させることで、酸素供給運転と香り発生を連動して提供できるとともに、香り発生器が酸素吹出口と同じく空気調和機内に設けられるので、外部の経路中に設けるのに較べデザイン的にすっきりするとともに、取り付け工事も容易である。
【００１４】
以下、本発明の実施の形態について、図面を参照しながら説明する。なお、この実施の形態によって本発明が限定されるものではない。
【００１５】
（実施の形態１）
図１は、本発明の第１の実施の形態における空気調和機の全体を示す斜視図で、図２は同空気調和機の香り発生器の断面図で、図３は同香り発生器の特性を示す図である。
【００１６】
同１において、空気調和機は、室内機１と室外機１０より構成され、両者は冷媒ガスが循環するように接続配管（図示せず）で接続されている。室内機１にはファン５と、室内へ酸素を供給する酸素吹出口３と、酸素吹出口３には酸素供給主管６が接続され、この酸素供給主管６の途中に香り発生器２が設けられている。
【００１７】
一方室外機１０には、圧縮機１４、熱交換器１７、ファン１６および酸素富化空気を供給する酸素供給手段１９が具備されている。酸素供給手段１９は、送風回路の一部を構成する仕切り板１５の送風回路側に設けられ酸素富化膜（図示せず）からなる酸素富化膜ユニット１１と、真空ポンプ１３と、酸素富化膜ユニット１１と真空ポンプ１３の真空側ポート（図示せず）と接続する真空側酸素接続管１２から構成されている。また、真空ポンプ１３の大気圧側ポート１３ｂには、室内へ酸素を供給する前述の酸素供給主管６が接続され、真空ポンプ１３を運転することにより室内へ酸素を供給することができる。
【００１８】
図２は、香り発生器２の構成を示す図である。香り発生器２には、上流側開口部２２、および下流側開口部２３があり、ともに酸素供給主管６が接続されている。香り発生器２の中には香り発生手段３０があり、香り発生手段３０は香り成分充填部３１とそれを包む香り容器３３とで構成されている。香り容器３３の一部は、空気中の湿度が高くなると透過し易い特性を有する感湿性膜３２で構成されており、酸素を多く含む空気と接触するように配設されている。香り成分充填部３１は、非液状態のもので、固体あるいはゲル状のものである。また、香り発生器２には蓋２４が設けられており、香り発生手段３０が取り替えられるようになっている。１８は、真空ポンプ１３を制御する制御部である。
【００１９】
以上のように構成された空気調和機において、酸素供給と香り発生の動作について説明する。
【００２０】
上記構成において、真空ポンプ１３が運転されると矢印２０で示す様に酸素富化膜ユニット１１を通過した空気が真空側酸素接続管１２を通過して真空ポンプ１３に吸い込まれ、酸素富化された空気が酸素供給主管６を介して香り発生器２へ送出される。このとき、酸素富化膜の特性により水分も透過性が良好なため、酸素供給主管６で送出される酸素富化空気の湿度は高くなる。この湿度の高くなった酸素富化空気が香り発生器２の中に導入されて、香り発生手段３０の感湿性膜３２と接触し、湿度が高くなるると、感湿性膜３２の特性により図３に示すように香り成分放出量が急激に増加する。
【００２１】
このように、酸素運転され高湿度の酸素富化空気が香り発生手段３０の感湿性膜３２と接触することにより、酸素富化運転に連動させて香り発生を行うことができる。こうして、香り成分を含んだ酸素富化空気が酸素吹出口３から室内へ供給されることにより、酸素と合わせて香りの効果を提供することができる。また、香り成分充填部３１は非液状態のもので、固体あるいはゲル状のもので構成されているために、液体香料のように設置場所、傾き等の制限を受けることなく自由に香り発生器２を配設することができる。
【００２２】
（実施の形態２）
図４は、本発明の第２の実施の形態における空気調和機の香り発生器２の断面図である。なお、上記実施の形態と同一部分については同一符号を付してその説明を省略する。
【００２３】
本実施の形態では、図に示すように香り発生器２の下流側経路に逆止弁２５を設けたもので、酸素運転が行われていないときに、前記逆止弁２５を閉じるようにしておくと、香り成分が酸素供給主管６を通って酸素吹出口３方向へ拡散して室内へ出ていくのを防止することができる。
【００２４】
また、図５に示すように、香り発生器２の上流側経路に逆止弁２６を設けるようにすれば、酸素富化運転が行われていないときに、香り成分が酸素供給主管６を通って真空ポンプ１３や酸素富化膜ユニット１１の方向へ拡散して、酸素供給主管６や真空ポンプ１３や酸素富化膜ユニット１１などに香り成分が付着するのを防止することもできる。
【００２５】
さらに、図６に示すように、香り発生器２の上流側と下流側にそれぞれ逆止弁２５、２６を設けるようにすれば、酸素運転が行われていないときに、香り成分が酸素供給主管６を通って酸素吹出口３の方向へ拡散して室内へ出ていくのを防止することができ、また、真空ポンプ１３や酸素富化膜ユニット１１の方向へ拡散して、酸素供給主管６や真空ポンプ１３や酸素富化膜ユニット１１などに香り成分が付着するのを防止することができる。この結果、酸素運転を行っていないときに、香り成分が室内へ出てくるのを防止することができるとともに、香り発生器２の上流側および下流側の経路に香り成分が滞留することを抑制できるために、酸素供給経路の各部分への香りの付着を防止することができる。このため、香り発生器２を別の種類に交換したときに、元の香り成分の残香を極力抑えることができ、異種の香り成分が混合することによる違和感を抑制することができる。
【００２６】
なお、上記実施の形態における逆止弁２５および２６は、香り発生器２から香り成分が拡散していくのを遮断することができる機能のものであれば、機械的な逆止弁や電磁２方弁など、どのような構成のものであってもよい。
【００２７】
（実施の形態３）
図７は、本発明の第３の実施の形態における空気調和機の香り発生器２の断面図である。なお、上記実施の形態と同一部分については同一符号を付してその説明を省略する。
【００２８】
本実施の形態では、図７に示すように、香り発生器２の上流側経路の一部に３方弁３４を設けたもので、その３方弁３４を動作させて、真空ポンプ１３から送出される酸素富化空気を香り発生器２を通過させて室内側へ吹き出す経路（ａ側）と、香り発生器２を通過させずに直接室内側へ吹き出す経路（ｂ側）を切り替えることができる。この結果、酸素富化運転時に香り発生の連動の有無を選択することができる。ここで、酸素富化運転時の香り発生の選択は、リモコンや本体に設けられたスイッチ（図示せず）により可能とする。また、３方弁３４の替わりに、流路を切り替えることができる機能のものであれば、２方弁を２つ用いるような構成のものなど、どのような方法でもよい。
【００２９】
（実施の形態４）
図８は、本発明の第４の実施の形態における空気調和機の香り発生器２の断面図である。なお、上記実施の形態と同一部分については同一符号を付してその説明を省略する。
【００３０】
上記第１〜第３の実施の形態では、香り発生器２を酸素供給主管６の途中に設けたが、本実施の形態では、香り発生器２を酸素吹出口３の出口に設けたもので、酸素富化運転時に水分の多い酸素富化空気が香り発生器２の感湿性膜３２に接触することにより、香り発生手段３０からの香り成分放出量が増加し、酸素運転と連動した香り発生が可能となる。本実施の形態によれば、香り発生器２を酸素吹出口３と同じく室内機１の内部に設けるので、酸素供給主管６の途中に設けるのに較べ、デザイン的にすっきりするとともに、取り付けも容易である。
【００３１】
（実施の形態５）
図９（ａ）は、本発明の第５の実施の形態における空気調和機の香り発生器２の斜視図で、（ｂ）は、同香り発生器２の断面図で、（ｃ）は、同香り発生器２を取り外した状態を示す斜視図である。なお、上記実施の形態と同一部分については同一符号を付してその説明を省略する。
【００３２】
上記第１〜第４の実施の形態では、感湿性膜３２を上向きにして香り発生器２を設けたが、本実施の形態では、図９に示すように、酸素供給主管６に対し香り発生器２を上側に配置すると共に酸素富化空気に触れる感湿性膜３２を下側になるようにしたものである。
【００３３】
上記第１〜４の実施の形態のように、感湿性膜３２が酸素富化空気の流れに対し下側にある場合、酸素供給主管６内で湿度が上がり結露した場合、その結露水が感湿性膜３上に溜まり、常に湿った状態になると、酸素富化運転を停止しても、香り容器３３から拡散し続けることが起こり得るが、本実施の形態では、感湿性膜３２が上側に位置しているので、結露水が感湿性膜３２に溜まる事がなく、酸素富化運転が停止しても、感湿性膜３２から香り成分が放出し続けるということが無い。
【００３４】
なお、上記実施の形態では、結露水が感湿性膜３２に溜まる事がないようにするために、感湿性膜３２を上側に位置させたが、側方に位置させても良く、要は、酸素富化空気の流れに対して下側になる位置以外の場所に感湿性膜３２を設けるようにすれば良い。
【産業上の利用可能性】
【００３５】
以上のように、本発明にかかる空気調和機は、香り発生器の香り成分充填部を非液状態で構成するとともに香り容器の一部を感湿性膜で構成することにより、設置形態への自由度を高めるとともに、酸素供給運転と連動した香り発生を提供することができるもので、各種空気調和機、送風装置、空気清浄機等にも広く適用できるものである。
【図面の簡単な説明】
【００３６】
【図１】本発明の実施の形態１における空気調和機の全体構成を示す斜視図
【図２】同空気調和機の香り発生器の断面図
【図３】同香り発生器の特性を示す図
【図４】本発明の第２の実施の形態における空気調和機の香り発生器の断面図
【図５】他の例を示す香り発生器の断面図
【図６】さらに他の例を示す香り発生器の断面図
【図７】本発明の実施の形態３における空気調和機の香り発生器の断面図
【図８】本発明の実施の形態４における空気調和機の香り発生器の断面図
【図９】（ａ）本発明の実施の形態５における空気調和機の香り発生器の斜視図、（ｂ）同香り発生器の断面図、（ｃ）同香り発生器を外した状態を示す斜視図
【図１０】従来の例を示す空気調和機の部分概略構成図
【符号の説明】
【００３７】
１    室内機
２    香り発生器
３    酸素吹出口
６    酸素供給主管
１１    酸素富化膜ユニット
１３    真空ポンプ
１９    酸素供給手段
２５、２６    逆止弁
３０    香り発生手段
３１    香り成分充填部
３２    感湿性膜
３３    香り容器
３４    ３方弁
【図１】
2005195217.tif 000003
【図２】
2005195217.tif 000004
【図３】
2005195217.tif 000005
【図４】
2005195217.tif 000006
【図５】
2005195217.tif 000007
【図６】
2005195217.tif 000008
【図７】
2005195217.tif 000009
【図８】
2005195217.tif 000010
【図９】
2005195217.tif 000011
【図１０】
2005195217.tif 000012